(57)【要約】【課題】  本発明では、放射能除洗方法の問題を鑑み、特に放射能で汚染した土壌の削り取った表土をコンクリートブロック化し、かつ、該コンクリートブロックを石炭や鉱石や石材などの採掘坑道に搬入・蓄積して、該坑道の落盤や該坑道直上の地表面の陥没を防止しようとするものである。【解決手段】  放射能で汚染した土壌を削り取って、該汚染土壌をセメントコンクリートと攪拌混合して得た混合物を、成形型に注入してコンクリートブロック化する放射能汚染土壌の処理方法である。【選択図】図２
2013088424.tif 000002
【特許請求の範囲】
【請求項１】
放射能で汚染した土壌を削り取って、該汚染土壌をセメントコンクリートと攪拌混合して得た混合物を、成形型に注入してコンクリートブロック化することを特徴とする放射能汚染土壌の処理方法。
【請求項２】
放射能で汚染した土壌を削り取って、該汚染土壌をセメントコンクリートと攪拌混合して得た混合物を、セメントコンクリート製の成形型に注入してコンクリートブロック化することを特徴とする放射能汚染土壌の処理方法。
【請求項３】
放射能で汚染した土壌を削り取って、該汚染土壌をアスファルトコンクリートと攪拌混合して得た混合物を、アスファルトコンクリート製の成形型に注入してコンクリートブロック化することを特徴とする放射能汚染土壌の処理方法。
【請求項４】
放射能で汚染した土壌を削り取って、該汚染土壌をセメントコンクリートと攪拌混合して得た混合物を、金属製又はプラスチックス製或いはその他のバリアー材料による内張のある成形型に注入して、該内張と一体化してコンクリートブロック化することを特徴とする放射能汚染土壌の処理方法。
【請求項５】
コンクリートブロックを、石炭や鉱石や石材などの採掘坑道に搬入・蓄積して、該坑道の落盤や該坑道直上の地表面の陥没を防止することを特徴とする請求項１乃至請求項４に記載の放射能汚染土壌の処理方法。
【発明の詳細な説明】
【技術分野】
【０００１】  本発明は、３．１１東日本大震災に伴う東京電力・福島第一原子力発電所放射能漏れ事故により、放射能で汚染した土壌の処理方法に関するものである。
【背景技術】
【０００２】  特許庁電子図書館にアクセスして「放射能汚染」「土壌」「除洗方法」のキーワードで検索した結果、ヒット件数は０であった。従って、以下は農林水産省から提案された放射能除洗方法について意見を述べるものとする。【０００３】  農水省の除洗計画によれば、第一に「基本的な表土削り取り」方法をあげているが、この方法は広大な汚染地域の表土を削り取って一定場所に保管するというもので、これを実施すると汚染土壌が莫大な量になるため広大な保管場所が必要となるばかりか、新たなホットスポットとなり本質的安全な除洗とは言い難い。【０００４】  また、農水省の除洗計画によれば、第二に「固化剤を用いた表土削り取り」方法をあげているが、この方法は広大な汚染地域の表土に固化剤を散布して凝固せしめ、該固化剤を含む表土を削り取って一定場所に保管するというもので、これを実施すると汚染土壌に固化剤が加わり汚染土壌がさらに莫大な量となるため、さらに広大な保管場所が必要となるばかりか、前項同様に新たなホットスポットとなり本質的安全な除洗とは言い難い。【０００５】  また、農水省の除洗計画によれば、第三に「芝・牧草の剥ぎ取り」方法をあげているが、この方法は広大な汚染地域の芝や牧草を剥ぎ取って一定場所に保管するというもので、これを実施すると汚染土壌に芝や牧草が加わり汚染土壌がさらに莫大な量となるため、さらに広大な保管場所が必要となるばかりか、前項同様に新たなホットスポットとなり本質的安全な除洗とは言い難い。【０００６】  また、農水省の除洗計画によれば、第四に「水による土壌攪拌・除去」方法をあげているが、この方法は、汚染した水田などを大量の水で土壌攪拌し、該洗浄水を保管または処理しようとするものであるが、前項同様に該洗浄水の保管場所が新たなホットスポットとなり本質的安全な除洗とは言い難い。【０００７】  また、農水省の除洗計画によれば第五に「反転耕」方法をあげているが、放射能で汚染した表土を裏返しにすることは簡単ではなく、単に放射能を拡散しているに過ぎず本質的な除洗とは言い難い。【０００８】  また、農水省の除洗計画によれば第六に「高吸収植物による除洗」方法をあげているが、この方法は、放射能で汚染した土壌にヒマワリなどの放射能高吸収植物を植えて放射能を吸収させ、それらを刈り取って処理しようというものであるが、該ヒマワリを刈り取って処理しようとした場合に、前項同様に該高吸収植物の保管場所が新たなホットスポットとなり本質的安全な除洗とは言い難い。
【発明の開示】
【発明が解決しようとする課題】
【０００９】  本発明では、上述の放射能除洗方法の問題を鑑み、特に放射能で汚染した土壌の削り取った表土をコンクリートブロック化し、かつ、該コンクリートブロックを石炭や鉱石や石材などの採掘坑道に搬入・蓄積して、該坑道の落盤や該坑道直上の地表面の陥没を防止しようとするものである。
【課題を解決するための手段】
【００１０】本発明の課題解決手段について説明する。
請求項１の発明においては、放射能で汚染した土壌を削り取って、該汚染土壌をセメントコンクリートと攪拌混合して得た混合物を、成形型に注入してコンクリートブロック化する放射能汚染土壌の処理方法であることを特徴とする。【００１１】請求項２の発明においては、放射能で汚染した土壌を削り取って、該汚染土壌をセメントコンクリートと攪拌混合して得た混合物を、セメントコンクリート製の成形型に注入してコンクリートブロック化する放射能汚染土壌の処理方法であることを特徴とする。【００１２】  請求項３の発明においては、放射能で汚染した土壌を削り取って、該汚染土壌をアスファルトコンクリートと攪拌混合して得た混合物を、アスファルトコンクリート製の成形型に注入してコンクリートブロック化する放射能汚染土壌の処理方法であることを特徴とする。【００１３】請求項４の発明においては、放射能で汚染した土壌を削り取って、該汚染土壌をセメントコンクリートと攪拌混合して得た混合物を、金属製又はプラスチックス製或いはその他のバリアー材料による内張のある成形型に注入して、該内張と一体化してコンクリートブロック化する放射能汚染土壌の処理方法であることを特徴とする。【００１４】  請求項５の発明においては、コンクリートブロックを、石炭や鉱石や石材などの採掘坑道に搬入・蓄積して、該坑道の落盤や該坑道直上の地表面の陥没を防止する請求項１乃至請求項４に記載の放射能汚染土壌の処理方法であることを特徴とする。
【発明の効果】
【００１５】  放射能汚染土壌の除洗方法である▲１▼表土削り取り、▲２▼固化剤を用いた表土削り取り等は、削り取った土壌の処理方法が明確でなく問題であったが、本発明によれば該土壌をコンクリートブロック化して安定化でき、かつ、該コンクリートブロックを石炭や鉱石や石材などの採掘坑道に搬入・蓄積して、該坑道の落盤や該坑道直上の地表面の陥没を防止することができるため、栃木県大谷地区のように大谷石採掘坑道を原因とする地表面の陥没防止にも有効活用でき、一石二鳥の効果が期待できるのである。
【発明を実施するための最良の形態】
【００１６】  本発明を実施するための最良の形態について説明する。
【実施例】
【００１７】［図１］に、放射能で汚染した土壌を削り取って、該汚染土壌をセメントコンクリートと攪拌混合して得た混合物を、成形型に注入してコンクリートブロック化するためのコンクリートブロック型１を示した。【００１８】  「図２」に、上述のコンクリートブロック型１に前期混合物を流し込んで固化して得たコンクリートブロック２を示した。このコンクリートブロック２は、後工程の坑道内ではい付け作業がしやすいように一対の吊り具３が該コンクリートブロック２と緊結してあるので、重機などで吊り上げても落下する危険はなく安全にはい付け作業ができる。【００１９】  「図３」は、放射能で汚染した土壌を削り取って、該汚染土壌をセメントコンクリートと攪拌混合して得た混合物を、セメントコンクリート製の成形型４に注入してコンクリートブロック化するためのコンクリート型４を示した。【００２０】  「図４」は、上述のセメントコンクリート製の成形型４に上述の混合物を流し込んで固化して得たコンクリートブロック２を示した。この場合には、セメントコンクリート製の成形型４と混合物でできたコンクリートブロック２とが一体化できるため、放射能で汚染した土壌とセメントコンクリートとを混合して得たコンクリートブロック２は、クリーンなセメントコンクリート製の成形型４によって包まれるため放射能シールド効果は一段と向上する。【００２１】
【産業上の利用可能性】
【００２２】  この度の３．１１東日本大震災による東京電力・福島第一原子力発電所の放射能漏れ事故は、広島原爆２０個分ともいわれる夥しい量の放射能汚染をもたらし半径２０キロ圏は言うに及ばず半径６０キロ圏の外にも多数のホットスポットが発生している現状を鑑み、可及的速やかに除洗作業の実をあげなければならない。発明者は、環境省や農水省の除洗対策に異を唱えるつもりはないが、それぞれの方法について考察すると解決すべき問題があり、直ちに実施してよいものか疑問が残る。そこで、発明者は、独自の発想に基づいて放射能で汚染し削り取った土壌の処理方法を提案するものであり、直ちに実施可能であると考えている。【００２３】  放射能汚染土壌の除洗方法である▲１▼表土削り取り、▲２▼固化剤を用いた表土削り取り等は、削り取った土壌の処理方法が明確でなく問題であったが、本発明によれば該土壌をコンクリートブロック化して安定化でき、かつ、該コンクリートブロックを石炭や鉱石や石材などの採掘坑道に搬入・蓄積して、該坑道の落盤や該坑道直上の地表面の陥没を防止することができるため、栃木県大谷地区のように大谷石採掘坑道を原因とする地表面の陥没防止にも有効活用でき、一石二鳥の効果が期待できるのである。
【図面の簡単な説明】
【００２４】
【図１】に、本発明のコンクリートブロックを製造するためのコンクリートブロック成形型の具体的態様、
【図２】に、放射能で汚染し削り取った土壌とセメントコンクリートとの混合物を注入して得たコンクリートブロックの具体的態様、
【図３】に、放射能で汚染し削り取った土壌とセメントコンクリートとの混合物を注入するためのセメントコンクリート製成形型の具体的態様、
【図４】に、放射能で汚染し削り取った土壌とセメントコンクリートとの混合物をセメントコンクリート製成形型に注入して得たコンクリートブロックの具体的態様を、それぞれ示した。
【符号の説明】
【００２５】１  成形型
２  コンクリートブロック
３  吊り具
４  成形型
【図１】
2013088424.tif 000003
【図２】
2013088424.tif 000004
【図３】
2013088424.tif 000005
【図４】
2013088424.tif 000006